(57)【要約】      （修正有）【課題】船舶が畦に近づいた場合に、確実に船舶をその畦に衝突しないようにした船舶衝突防止システムを提供する。【解決手段】水田に除草剤や肥料などの被散布物を散布させる船舶１と、前記水田の畦に一定間隔毎に設けられ、電波を発信させる発信器７１と、前記船舶１側に、前記発信器７１からの電波を受信することにより発信器７１との距離が一定距離以下になったことを検知する検知部と、当該検知部によって一定距離以下であることを検知した場合に、報知もしくは衝突防止のための駆動制御を行うようにした衝突防止部とを備えるようにする。この衝突防止のための駆動制御を行う場合、警告灯７５の点灯や舵５やエンジンの駆動制御などを行う。【選択図】図７
2014237357.tif 000002
【特許請求の範囲】
【請求項１】
水田に除草剤や肥料などの被散布物を散布させる船舶と、
前記水田の畦に一定間隔毎に設けられ、電波を発信する発信器と、
前記船舶側に、前記発信器からの電波を受信させる受信器と、
当該受信器で受信した電波により発信器との距離が一定距離以下であるか否かを検知する検知部と、
当該検知部によって発信器との距離が一定距離以下であることが検知された場合に、報知もしくは衝突防止のための駆動制御を行うようにした衝突防止部と、
を備えるようにしたことを特徴とする船舶衝突防止システム。
【請求項２】
水田に除草剤や肥料などの被散布物を散布させる船舶と、
前記船舶側に設けられ、前記発信器からの電波を発信する発信器と、
前記水田の畦に一定間隔毎に設けられ、電波を受信する受信器と、
前記発信器からの電波を受信することにより受信器との距離が一定距離以下であるか否かを検知する検知部と、
当該検知部によって発信器との一定距離以下であることが検知された場合に、報知もしくは衝突防止のための駆動制御を行うようにした衝突防止部と、
を備えるようにしたことを特徴とする船舶衝突防止システム。
【請求項３】
前記衝突防止部が、受信器および発信器の距離に応じて報知の種類もしくは衝突防止のための駆動制御の方法を変えるようにした請求項１または２に記載の船舶衝突防止システム。
【発明の詳細な説明】
【技術分野】
【０００１】
本発明は、水田に除草剤や肥料などを散布させる船舶衝突防止システムに関するものであり、より詳しくは、その船舶を水田の畦などの障害物に衝突させないようにした船舶衝突防止システムに関するものである。
【背景技術】
【０００２】
従来より、水田に除草剤や肥料などを散布する方法として、模型船舶を用いる方法が提案されている（特許文献１）。このような模型船舶は、一般的に、内部を中空状にした船体と、内部に除草剤などを貯留したタンクと、この船体を航行させるエンジンやプロペラなどからなる駆動部とを有して構成されている。そして、このような船舶を用いて除草剤などを散布させる場合は、駆動部のプロペラを回転させて走行させるとともに、タンクから除草剤を排出させて水田に散布させるようにしている。
【０００３】
ところで、このような船舶を用いて除草剤などを散布させる場合、水田が広くなると、コントローラーを操作する者の低い視点からは、その船舶と畦との距離が分かりにくくなり、船体が畦に衝突してしまう可能性がある。特に、このような船舶は、浅い水底への接触を防止するために、船底にセンターボードやキールなどを有していないため、舵を切ったとしても、そのまま直進した状態となってしまい、畦に衝突してしまう可能性が高くなる。そこで、下記の特許文献１では、船体に超音波センサを設けて畦との距離を計測し、船体が畦に近づいた場合には、後方のランプを点灯させてオペレーターに旋回の必要性を知らせるようにした方法などが提案されている。
【先行技術文献】
【特許文献】
【０００４】
【特許文献１】特開２００７−１５１４８１号公報
【発明の概要】
【発明が解決しようとする課題】
【０００５】
しかしながら、このような方法で畦との衝突を知らせるようにした場合であっても、次のような問題を生じる。
【０００６】
すなわち、上記特許文献１に記載させる方法では、超音波センサを用いて畦との距離を計測しているために、超音波センサから出力された超音波が、稲や雑草、畦などによって乱反射してしまい、正確に障害物との距離を計測することが難しくなる。特に、水田を高速走行している場合やタンクの残量が少なくなった場合には、船首部分が持ち上がってしまい、畦が低く形成されている場合は、その畦との距離を計測できなくなってしまう。このため、超音波センサを用いる場合には、現実的には、畦に超音波を正反射させるための板材などを全面に立設させるなどの作業が必要となり、その作業が非常に面倒になるといった問題があった。
【０００７】
そこで、本発明は上記課題を解決するために、船舶が畦に近づいた場合に、確実に船舶をその畦に衝突しないようにした船舶衝突防止システムを提供することを目的とする。
【課題を解決するための手段】
【０００８】
すなわち、本発明は上記課題を解決するために、水田に除草剤や肥料などの被散布物を散布させる船舶と、前記水田の畦に一定間隔毎に設けられ、電波を発信する発信器と、前記船舶側に、前記発信器からの電波を受信させる受信器と、当該受信器で受信した電波により発信器との距離が一定距離以下であるか否かを検知する検知部と、当該検知部によって発信器との距離が一定距離以下であることを検知した場合に、報知もしくは衝突防止のための駆動制御を行うようにした衝突防止部とを備えるようにしたものである。
【０００９】
このようにすれば、指向性の少ない電波を用いることによって正確に距離を測定することができ、未然に衝突を防止することができるようになる。
【００１０】
また、別の発明では、発信器と受信器を入れ替えて使用することもできる。すなわち、船舶側に、電波を発信させる発信器と、前記水田の畦に一定間隔毎に設けられ、電波を受信する受信器と、前記発信器からの電波を受信することにより受信器との距離が一定距離以下であるか否かを検知する検知部と、当該検知部によって発信器との一定距離以下であることが検知された場合に、報知もしくは衝突防止のための駆動制御を行うようにした衝突防止部とを備えるようにすることもできる。
【００１１】
このようにすれば、畦側の受信器側が一定距離以下を検知した場合に、報知や衝突防止のための駆動信号を送出することで、衝突を未然に回避することができるようになる。
【００１２】
さらに、このような発明において、衝突防止部として、受信器および発信器の距離に応じて報知の種類もしくは衝突防止のための駆動制御の方法を変えることもできる。
【００１３】
このようにすれば、例えば、畦への接近距離に応じて音量や光の強度、点滅方法などを変えたり、あるいは、エンジンの回転数の制御や舵の制御などを行うことで、未然に畦への衝突を防止することができるようになる。
【発明の効果】
【００１４】
本発明によれば、水田に除草剤や肥料などの被散布物を散布させる船舶と、前記水田の畦に一定間隔毎に設けられ、電波を発信する発信器と、前記船舶側に、前記発信器からの電波を受信させる受信器と、当該受信器で受信した電波により発信器との距離が一定距離以下であるか否かを検知する検知部と、当該検知部によって発信器との距離が一定距離以下であることを検知した場合に、報知もしくは衝突防止のための駆動制御を行うようにした衝突防止部とを備えるようにしたので、指向性の少ない電波を用いることで正確に距離を測定することができ、未然に船舶の衝突を防止することができるようになる。また、このような発明において、発信器と受信器を入れ替えて使用した場合においても、畦側に設けられている受信器との距離が一定距離以下になった場合に、報知や衝突防止のための駆動信号を送出することで、未然に船舶の衝突を回避することができるようになる。
【図面の簡単な説明】
【００１５】
【図１】本発明の一実施の形態における船舶を示す側面概略図
【図２】同形態における船舶の平面概略図
【図３】同形態における船舶の背面概略図
【図４】同形態における舵を示す図
【図５】同形態における船舶衝突防止システムの機能ブロック図
【図６】同形態における舵の操作を示す図
【図７】同形態における船舶衝突防止システムの使用例を示す図
【発明を実施するための形態】
【００１６】
以下、本発明の位置実施の形態について図面を参照して説明する。
【００１７】
この実施の形態における船舶衝突防止システム１００は、図７に示すように、水田の水面上を走行しながら除草剤を散布する船舶１と、水田の畦などに取り付けられる複数の発信器７１と、その船舶１に設けられる受信器７２とを備えて構成されるものであって、船舶１が発信器７１の所定範囲内（図７の破線領域内）に近づいた場合に、船舶１に設けられた警告灯７５を点灯させたり、あるいは、船舶１の速度を低減させたりするように衝突防止部７４（図５の機能ブロック図参照）で制御するようにしたものである。以下、本実施の形態における船舶衝突防止システム１００の構造について詳細に説明する。
【００１８】
まず、船舶１の構成について図１から図４および図６などを用いて説明する。この船舶１を構成する船体２は、厚み１〜５ｍｍ程度のポリエチレンによって、平面視において長方形状をなすように構成されるものであって、内部を密閉中空状にすることにより水深の浅い水田でも走行できるようにしている。なお、この船体２の底面側には、センターボードやキールなどの突起を設けないようにしており、これによって、浅い水田における水底に接触させないようにしている。しかしながら、このように底面側に突起を設けないようにすると、水底への接触を防止することができる反面、直進安定性や操舵性に欠けるという欠点があり、舵５を切ったとしても、しばらくは直進したままの状態となってしまう。このため、このような突起を設けることなく、ある程度の直進安定性を向上させるために、図３に示すように、船底に進行方向に沿った複数本の凹部２１を設けるようにしている。
【００１９】
この船体２上に設けられる除草剤散布機３は、水田に除草剤を散布できるようにしたものであって、タンク３０に貯留された液体の除草剤をノズル３２から散布できるようにしている。ここで除草剤を散布する場合、船舶１の速度によってノズル３２からの排出量を調整する。ここでは、プロペラ４の駆動源であるエンジン４０の排ガスをタンク３０内に供給する第二導出管３１をタンク３０に取り付け、その第二導出管３１によってタンク３０内を加圧する。そして、その圧力によって排出された除草剤を後方のノズル３２から水田に散布させる。なお、ここでは、排圧によって散布量を調整できるようにしているが、ノズル３２の孔径を調整することによって除草剤の排出量を調整できるようにしてもよく、あるいは、排出量を調整するのではなく、常に一定量の除草剤を排出させるようにしてもよい。また、除草剤を散布する場合、後方のノズル３２から水田に散布させるようにしているが、タンク３０からプロペラ４に向けて排出し、そのプロペラ４から除草剤を拡散させて散布させるようにしてもよい。
【００２０】
一方、このプロペラ４は、船体２の上面中央から後方に設けられるものであって、複数設けられた羽根４１をエンジン４０で回転させることによって後方への推進力を得られるようにしている。このエンジン４０は、側方に設けられた燃料タンク４４に貯留されたガソリンで駆動できるようになっており、後方に向けて設けられた排出口を介して排気できるようになっている。この排出口には、導出管４３へ向けて排気を分岐する分岐部（図示せず）が設けられており、また、この分岐部を介してタンク３０側へ排気を分岐させる第二導出管３１や、船体２の中空部に向けて排気を流入させる導出管４３が接続される。そして、このように排気をタンク３０や船体２の中空部に流入させることによって、エンジン４０が高速回転になった場合に、タンク３０からの散布量を多くできるようにするとともに、船体２を高圧にして高速走行を可能にしている。なお、このように分岐部を介して導出管４３や第二導出管３１に排気を流入させる場合、図示しない調整弁を設けて導出量を調整できるようにしてもよい。この調整弁については、手動によって回転させることによって第二導出管３１や導出管４３への流量を調整できるようにしてもよく、あるいは、ラジコンのコントローラー６によって流量をそれぞれ独自に調整できるようにしてもよい。
【００２１】
このプロペラ４の後方に設けられる舵５は、図２や図６に示すように、船体２の左右方向に一定の間隔を設けて設けられるものであって、この舵５の詳細図である図４に示すように、それぞれＸ軸方向への長さが比較的長く設定された第一ブレード５１と、この第一ブレード５１の後端側のヒンジ５５で連結され、Ｘ軸方向の長さが比較的短く設定された第二ブレード５６とを設けて構成されている。このうち、第一ブレード５１は、その中央付近に設けられた第一回転軸を中心に回転させるようになっており、船体２に取り付けられた第一アクチュエーター５２を用いて角度を調整できるようになっている。このとき、第一ブレード５１の角度としては、通常の前進走行時においては、Ｘ軸に沿った方向としておき（図６（ａ））、逆進走行時においては、図６（ｄ）に示すように、Ｘ軸の軸方向から船体２の左右両外側に６０度〜８０度の範囲内に設定する。そして、このように角度を最大限変更した場合に、平面視において、その後端側がプロペラ４の回転半径の外側近傍（好ましくは、羽根４１の外側）に位置するようにしている。なお、この第一ブレード５１の角度を変える場合、図４に示すように、その第一ブレード５１の下辺に取り付けられたＬ字状のプレート片５３に、第一アクチュエーター５２からの連結部材５４を連結させ、この連結部材５４を軸方向に進退させることによって第一ブレード５１の角度を制御する。この第一ブレード５１の角度調整については、エンジン４０と同様に、後述するコントローラー６の制御部６１によって制御される。
【００２２】
一方、第二ブレード５６は、この第一ブレード５１の後端側に設けられたヒンジ５５で連結されており、第二アクチュエーター５７によって第一ブレード５１との角度を調整できるようになっている。この第二ブレード５６の角度を調整する場合、第一ブレード５１に取り付けられた第二アクチュエーター５７と、第二ブレード５６の下辺に取り付けられたＬ字状のプレート片５８との間に第二連結部材５９を取り付け、この第二連結部材５９を軸方向に進退させるように第二アクチュエーター５７を制御する。この第二ブレード５６の制御についても、同様にコントローラー６の制御部６１によって第一ブレード５１とともに制御される。
【００２３】
この制御部６１は、図１に示すラジコンのコントローラー６に設けられるものであって、上下方向に傾倒される第一ジョイスティック６２と、左右方向に傾倒される第二ジョイスティック６３などを設けて構成される。また、必要に応じて緊急停止ボタン６４などが設けられる。そして、第一ジョイスティック６２を上方に傾倒させることによってエンジン４０を正方向に回転させ、逆に、下方に傾倒させることによってエンジン４０を逆方向に回転させる。また、第二ジョイスティック６３を右側に傾倒させることによって舵５を右に切って右旋回できるようにし、逆に、左側に傾倒させることによって左旋回できるようにしている。
【００２４】
一方、このような船舶１において、畦側には、図７に示すように、一定間隔ごとに発信器７１が設けられる。この発信器７１は、内蔵された電池もしくは外部電力によって、電波到達距離が数メートル程度の電波を発するようにしたものであって、互いの電波到達距離がオーバーラップするように配置される。
【００２５】
一方、この発信器７１に対応して、船舶１側には、その電波を受信するための受信器７２が設けられる。この受信器７２には、発信器７１からの電波を受信して、所定の閾値以上の強度の電波を受信したか否かを検知部７３で検出する。そして、その閾値以上の強度の電波を受信した場合は、衝突防止部７４にその旨の信号を出力する。なお、この受信器７２については、コントローラー６の送受信器と一体的に設けてもよいが、この実施の形態では、船首側に設けて、いち早く発信器７１からの電波を受信できるようにしている。
【００２６】
衝突防止部７４では、衝突防止に際して種々の制御を行うようにする。まず、第一の方法としては、閾値以上の強度の電波を検知部７３（図５）で検知した場合、舵５の上方に設けられた警告灯７５を点灯させるか、あるいは、スピーカー７６から警報音を出して、オペレーター側にその旨を伝えるようにし、コントローラー６による衝突防止のための操作を促すようにする。また、このように警告灯７５を点灯させる場合や警報音を出力する場合、受信器７２で受信した電波の強度に応じて報知方法を変えるようにすることもでき、例えば、発信器７１までの距離が近づくにつれて「青、黄、赤」の順序で警告灯７５を点灯させるようにしてもよく、あるいは、受信器７２までの距離が近づくにつれて警報音の音量を大きくするようにしてもよい。
【００２７】
また、第二の方法として、エンジン７０の回転数や舵５を制御する方法を採用することもできる。このエンジン７０の回転数の制御では、閾値以上の強度の電波を検知部７３で検知した場合に、エンジン４０の回転数を低減させ、最終的にはアイドリング状態に切り換える。もしくは、舵５の方向を制御することによって、方向転換や逆進のための推進力を出力できるようにする。このような舵５の制御を行う場合、図６（ｂ）（ｃ）に示すように、舵５を一方向に切ることによって右方向あるいは左方向へ旋回できるようにし、また、逆進のための推進力を出力できるようにする場合は、図６（ｄ）に示すように、左右一対の舵５をＷ字状に屈曲させ、これによってエンジン４０から吹き出された空気を前方へ流すようにする。具体的には、まず、それぞれの第一アクチュエーター５２を駆動させて第一ブレード５１の後端側が左右両外側に向くようにする。このときの第一ブレード５１の角度θとしては、６０度〜８０度の範囲内としておき、プロペラ４から出力された風が第一ブレード５１によって左右両外側にスムーズに流れるようにする。また、このような角度に第一ブレード５１を設定した際には、それぞれの第一ブレード５１の前端側の隙間が小さくなるようにしておき、これによって、その隙間から後方に風が流れないようにしておく。また、このような角度に第一ブレード５１を設定した際、第一ブレード５１の後端側については、プロペラ４の回転半径の外側に位置するようにしておき、これによって、プロペラ４からの風をスムーズに外側に流れるようにする。そして、このように第一ブレード５１を左右対称に広げるとともに、ヒンジ５５を介して取り付けられた第二ブレード５６の角度を制御する。この第二ブレード５６の角度を制御する際には、第二アクチュエーター５７を駆動させて、それぞれの第二ブレード５６の後端側が船舶１の前方側に向くようにする。このとき第二ブレード５６の後端側については、プロペラ４の回転半径の外側に位置するようになっているので、プロペラ４からの直接的な風の影響を受けることがなく、第一ブレード５１に沿って流れてきた風を斜め前方へと流すことができる。そして、このように斜め前方へと出力された風のうち、Ｘ軸方向に沿った成分が逆進時における推進力として働くことになる。これにより、緊急停止ボタン６４の押下などによって緊急停止させる際に、プロペラ４が慣性力で回転し続けたとしても、左右に広げられた第一ブレード５１や第二ブレード５６によって逆進方向への推進力を得ることができ、制動距離を短くすることができる。
【００２８】
次に、このような構成において、船舶１を用いて除草剤などの被散布物を散布させる場合の使用方法について説明する。
【００２９】
まず、この船舶１を用いて被散布物を散布させるに際して、図７に示すように、発信器７１を畦に沿って一定間隔おきに立設しておく。この発信器７１の立設に際しては、オペレーターの対岸側に、発信器７１の電波到達距離をそれぞれオーバーラップさせるように設ける。
【００３０】
そして、このように発信器７１を立設した状態で、発信器７１や受信器７２の電源を入れ、船舶１を水田に浮かべて走行させる。すると、その船舶１はオペレーター付近から対岸側に向けて走行し、その際、タンク３０内に貯留された被散布物を水田に散布させる。そして、その船舶１が対岸側の発信器７１に近づいた場合（図７の破線領域内）、受信器７２が所定の閾値以上の強度の電波を受信したか否かを検知部７３で検出し、その強度以上の電波を受信した場合に、その旨の信号を衝突防止部７４に出力する。
【００３１】
そして、衝突防止部７４では、第一の方法として、舵５の上方に取り付けられた警告灯７５を点灯させるか、あるいは、スピーカー７６から警報を鳴らして衝突の危険性をオペレーターに知らせるようにする。これに基づいて、そのオペレーターは、警告灯７５や警報に基づいて、ジョイスティック６２、６３を操作して、旋回や走行速度の低減などを操作する。あるいは、第二の方法として、衝突防止部７４では、船舶１が発信器７１の所定距離内に入った場合に、舵５の方向を制御し、旋回や逆進のための推進力を得られるようにするとともに、エンジン４０の回転数を低減させるようにする。
【００３２】
このように、本実施の形態によれば、水田に除草剤や肥料などの被散布物を散布させる船舶１と、前記水田の畦に一定間隔毎に設けられ、電波を発信させる発信器７１と、前記船舶１側に、前記発信器７１からの電波を受信することにより発信器７１との距離が一定距離以下になったことを検知する検知部７３と、当該検知部７３によって一定距離以下であることを検知した場合に、報知もしくは衝突防止のための駆動制御を行うようにした衝突防止部７４とを備えるようにしたので、指向性の少ない電波を用いることで正確に距離を測定することができ、未然に畦などの障害物への衝突を防止することができるようになる。
【００３３】
なお、本発明は、上記実施の形態に限定されることなく、種々の態様で実施することができる。
【００３４】
例えば、上記実施の形態では、船舶１側に受信器７２を設け、畦側に発信器７１を設けるようにしたが、これとは逆に、船舶１側に発信器７１、畦側に受信器７２や検知部７３などを設けるようにしてもよい。そして、船舶１側の発信器７１で、常に所定の強度の電波を出力しておき、受信器７２側で、所定の閾値を超える強度の電波を受信した場合に、警告灯の点灯や警報出力などの報知を行うようにしてもよい。この報知を行うに際しては、船舶１側にその旨の信号を出力して、船舶１の舵５の上方に設けられた警告灯７５などを点灯させるようにしてもよく、あるいは、畦に立設された受信器に設けられた警告灯やスピーカーなどから報知を行うようにしてもよい。
【００３５】
また、上記第一の実施の形態では、電波を船舶１側の受信器７２で受信して報知などの制御を行うようにしたが、この受信器７２については、コントローラー６の受信器と兼用することもできる。
【００３６】
さらに、上記実施の形態では、所定の閾値を超える強度の電波を受信した場合に、船舶１の衝突防止部７４で制御するようにしたが、コントローラー６側の制御部６１に信号を送出して、コントローラーに設けられた警告灯の点灯や、エンジンや舵などの制御を行わせるようにしてもよい。
【００３７】
また、上記実施の形態では、数種類の制御方法を採用するようにしたが、受信した電波強度が閾値よりも大きな第一の電波強度である場合、第一の制御方法として「警告灯の点灯」などを行い、また、その第一の電波強度よりも大きな第二の電波強度である場合は、第二の制御方法として、舵５の方向転換や逆進方向への制御などを行うなどのように制御方法を切り替えるようにしてもよい。また、このように舵５を制御する場合は、船舶１自身で独自に制御を行うようにしてもよく、あるいは、コントローラー６側に電波強度に関する情報を送信し、コントローラー６からのその制御のための信号を送信するようにしてもよい。また、このように電波強度の閾値に応じて制御するのではなく、電波強度に応じて無段階的に警告灯７５や舵５の制御などを行うようにしてもよい。
【００３８】
また、上記実施の形態では、電波の受信強度に応じて距離を検知するようにしたが、特定の信号を発信器から送信し、これを受信器で受信した場合に「一定距離範囲内である」と検知するようにしてもよい。
【符号の説明】
【００３９】
１・・・船舶
２・・・船体
２１・・・凹部
３・・・除草剤散布機
３０・・・タンク
３１・・・第二導出管
３２・・・ノズル
４・・・プロペラ
４０・・・エンジン
４１・・・プロペラ
４３・・・導出管
４４・・・燃料タンク
５・・・舵
５１・・・第一ブレード
５２・・・第一アクチュエーター
５３・・・プレート片
５４・・・連結部材
５５・・・ヒンジ
５６・・・第二ブレード
５７・・・第二アクチュエーター
５８・・・プレート片
５９・・・連結部材
６・・・コントローラー
６１・・・制御部
６２・・・第一ジョイスティック
６３・・・第二ジョイスティック
６４・・・緊急停止ボタン
７１・・・発信器
７２・・・受信器
７３・・・検知部
７４・・・衝突防止部
７５・・・警告灯
７６・・・スピーカー
【図１】
2014237357.tif 000003
【図２】
2014237357.tif 000004
【図３】
2014237357.tif 000005
【図４】
2014237357.tif 000006
【図５】
2014237357.tif 000007
【図６】
2014237357.tif 000008
【図７】
2014237357.tif 000009